(57)【要約】      （修正有）【課題】ワイパーアームのＵ字形部分の内面との当接部を有する支持部材を、交換することなく、複数種類のワイパーアームに適合させることができるワイパーブレードのワイパーアーム結合機構を提供する。【解決手段】ワイパーアーム１との結合機構を有するワイパーブレード２は、長手方向略中央部に、第１の軸支部を形成する第１のピン３が配置されるワイパーブレード本体５と、第１のピンによって、ワイパーブレード本体に回動可能に支持される支持部材６と、を有し、支持部材は、複数の規格サイズのワイパーアームに適合する複数適合手段を有し、支持部材の下部当接部が、第１の規格サイズのワイパーアームと当接する第１の下部当接部６３ａと、第２、第３の規格サイズのワイパーアームの少なくとも何れか１つと当接する第２の下部当接部６３ｂと、を有する。【選択図】図１
0003214731.tif 000002
【実用新案登録請求の範囲】
【請求項１】
先端がＵ字形状に湾曲して形成されたワイパーアームとの結合機構を有するワイパーブレードにおいて、
長手方向略中央部に、第１の軸支部を形成する第１のピンと、第２の軸支部を形成する第２のピンが配置されるワイパーブレード本体と、
前記第１のピンによって、ワイパーブレード本体に対して回動可能に支持される支持部材と、
前記第２のピンによって、ワイパーブレード本体に対して回動可能に支持される蓋部材と、
を有し、
前記支持部材は、前記ワイパーアームのＵ字形部分の内面との当接部を有し、
前記蓋部材は、前記支持部材によって支持されたワイパーアームのＵ字形状部分の外面湾曲部と当接する当接部を有することによって、前記支持部材に前記ワイパーアームを装着した状態で、前記蓋部材を閉じた時に、前記支持部材に対してワイパーアームの装着状態からの離脱を防止するように構成され、
前記支持部材の当接部は、少なくともワイパーアームのＵ字形状部よりも上部位置の平面部の内面と当接する上部当接部と、ワイパーアームのＵ字形状部の湾曲位置の内面と当接する湾曲当接部と、ワイパーアームのＵ字形状部よりも下部位置の平面部の内面と当接する前記下部当接部と、を有し、
前記支持部材は、複数の規格サイズのワイパーアームに適合する複数適合手段を有し、
前記ワイパーアームの第１の規格サイズは、９×４（Ｕ字形状部の幅９ｍｍ、上下方向の内寸法１０．７ｍｍ、肉厚４ｍｍ）のワイパーアームからなり、
第２の規格サイズは、９×３．５（Ｕ字形状部の幅９ｍｍ、上下方向の内寸法６．７ｍｍ、肉厚３．５ｍｍ）のワイパーアームからなり、
第３の規格サイズは、９×３（Ｕ字形状部の幅９ｍｍ、上下方向の内寸法６．７ｍｍ、肉厚３ｍｍ）のワイパーアームからなり、
前記複数適合手段は、前記支持部材の下部当接部が、第１の規格サイズのワイパーアームと当接する第１の下部当接部と、
前記第２の規格サイズのワイパーアームと前記第３の規格サイズのワイパーアームの少なくとも何れか1つの規格サイズと当接する第２の下部当接部と、
を有することを特徴とするワイパーブレードのワイパーアーム結合機構。
【請求項２】
前記複数適合手段は、前記第２の下部当接部が、前記第１の下部当接部よりも、上方で且つ、前記湾曲当接部に近接する位置に形成されることを特徴とする請求項１記載のワイパーブレードのワイパーアーム結合機構
【請求項３】
前記複数適合手段は、前記支持部材の湾曲当接部が、前記第１の規格サイズのワイパーアームのＵ字形状部の湾曲位置の内面と当接し、前記第２の規格サイズのワイパーアームおよび前記第３の規格サイズのワイパーアームのＵ字形状部の湾曲位置の内面と当接しないように形成された上側湾曲当接部と、
前記第１の規格サイズのワイパーアームの湾曲位置の内面と当接せず、前記第２の規格サイズのワイパーアームと前記第３の規格サイズのワイパーアームの少なくとも何れか1つの規格サイズのＵ字形状部の湾曲位置の内面と当接するように形成された下側湾曲当接部と、
を有することを特徴とする、請求項１または２記載のワイパーブレードのワイパーアーム結合機構
【請求項４】
前記第１の規格サイズのワイパーアームのＵ字形状部の湾曲位置の内面が、前記支持部材の上側湾曲当接部と当接し、前記第２の規格サイズのワイパーアームおよび前記第３の規格サイズのワイパーアームのＵ字形状部の湾曲位置の内面が、前記支持部材の下側湾曲当接部と当接するように構成されることによって、
前記支持部材に、前記第１の規格サイズのワイパーアームと、前記第２の規格サイズのワイパーアームと、前記第３の規格サイズのワイパーアームの、何れの規格サイズのワイパーアームを装着した場合においても、前記ワイパーアームのＵ字形状部の外面湾曲部の位置が、
前記蓋部材を閉じた際の、前記蓋部材の当接部との当接状態を維持可能で且つ、前記蓋部材の弾性変形となるように構成されることを特徴とする、請求項３記載のワイパーブレードのワイパーアーム結合機構
【考案の詳細な説明】
【技術分野】
【０００１】
本考案は、車両の窓ガラス等の拭掃に使用するワイパー装置において、先端がＵ字形状に湾曲して形成されたワイパーアームに対するワイパーブレードの結合機構に関する。
【背景技術】
【０００２】
実公平３−４９０８１号公報では、図１５に示すように先端がＵ字形をなすワイパーアーム１がワイパーブレード１０１に設けた第１のピン１０２によって回動可能に支持され、前記ワイパーアーム１のＵ字形部１１の内面に補完的な支持表面を有する支持部材１０３と、ワイパーアーム１の長手方向前方に前記第１のピン１０２から間隔をおかれた第２のピン１０４によって回動可能に支持され前記支持部材１０３に支持されたワイパーアーム１のＵ字形部１１の外面湾曲部１２にほぼ補完的な抑留表面１０５を有し、前記抑留表面１０５の一部が弾性的に前記外面湾曲部１２から離れる方向に屈撓可能となされている抑留部材１０６（蓋部材）と有する構成が開示されている。
【０００３】
しかしながら、前記ワイパーアームは、複数の規格サイズ（９×４：Ｕ字形状部の幅９ｍｍ、上下方向の内寸法１０．７ｍｍ、肉厚４ｍｍ、９×３．５：Ｕ字形状部の幅９ｍｍ、上下方向の内寸法６．７ｍｍ、肉厚３．５ｍｍ、９×３：Ｕ字形状部の幅９ｍｍ、上下方向の内寸法６．７ｍｍ、肉厚３ｍｍ）が存在するため、従来の支持部材と抑留部材（蓋部材）を使った固定方法では、１つの支持部材で９×３の規格サイズと９×３．５の規格サイズだけ対応するか、あるいは各々、前記ワイパーアームのＵ字形部分のサイズに対応した専用の支持部材を必要としており、図１６に示す９×４の規格のサイズのワイパーアーム１ａを固定する９×４の規格サイズ用の支持部材１０３ａに、９×３の規格サイズのワイパーアーム１ｃを固定しようとすると、図１７に示すようにワイパーアーム１ｃのＵ字形部１１ｃの内面寸法の高さが足りず、逆に図１８に示す９×３の規格のサイズのワイパーアーム１ｃを固定する９×３の規格サイズ用の支持部材１０３ｃに、９×４の規格のサイズのワイパーアーム１ａを固定しようとすると、図１９に示すようにワイパーアーム１ａのＵ字形部１１ａの内面寸法の高さが余ってしまい、更に抑留部材１０６（蓋部材）とワイパーアーム１ａのＵ字形部１１ａの外面が干渉してしまうため、このような従来の構造では、１種類の支持部材で、少なくとも９×３の規格サイズのワイパーアームと９×４の規格のサイズのワイパーアームの両方に適合させることができなかった。
【先行技術文献】
【特許文献】
【０００４】
【特許文献１】実公平３−４９０８１号公報
【考案の概要】
【考案が解決しようとする課題】
【０００５】
本考案のワイパーブレードのワイパーアーム結合機構は、前記ワイパーアームのＵ字形部分の内面との当接部を有する支持部材を、交換することなく、複数種類のワイパーアームに適合させることができる構造を得ること課題とする。
【課題を解決するための手段】
【０００６】
本考案のワイパーブレードのワイパーアーム結合機構は、先端がＵ字形状に湾曲して形成されたワイパーアームとの結合機構を有するワイパーブレードにおいて、長手方向略中央部に、第１の軸支部を形成する第１のピンと、第２の軸支部を形成する第２のピンが配置されるワイパーブレード本体と、前記第１のピンによって、ワイパーブレード本体に対して回動可能に支持される支持部材と、前記第２のピンによって、ワイパーブレード本体に対して回動可能に支持される蓋部材と、を有し、前記支持部材は、前記ワイパーアームのＵ字形部分の内面との当接部を有し、前記蓋部材は、前記支持部材によって支持されたワイパーアームのＵ字形状部分の外面湾曲部と当接する当接部を有することによって、前記支持部材に前記ワイパーアームを装着した状態で、前記蓋部材を閉じた時に、前記支持部材に対してワイパーアームの装着状態からの離脱を防止するように構成される。
【０００７】
前記支持部材の当接部は、少なくともワイパーアームのＵ字形状部よりも上部位置の平面部の内面と当接する上部当接部と、ワイパーアームのＵ字形状部の湾曲位置の内面と当接する湾曲当接部と、ワイパーアームのＵ字形状部よりも下部位置の平面部の内面と当接する前記下部当接部と、を有し、前記支持部材は、複数の規格サイズのワイパーアームに適合する複数適合手段を有し、前記ワイパーアームの第１の規格サイズは、９×４（Ｕ字形状部の幅９ｍｍ、上下方向の内寸法１０．７ｍｍ、肉厚４ｍｍ）のワイパーアームからなり、第２の規格サイズは、９×３．５（Ｕ字形状部の幅９ｍｍ、上下方向の内寸法６．７ｍｍ、肉厚３．５ｍｍ）のワイパーアームからなり、第３の規格サイズは、９×３（Ｕ字形状部の幅９ｍｍ、上下方向の内寸法６．７ｍｍ、肉厚３ｍｍ）のワイパーアームからなり、前記複数適合手段は、前記支持部材の下部当接部が、第１の規格サイズのワイパーアームと当接する第１の下部当接部と、前記第２の規格サイズのワイパーアームと前記第３の規格サイズのワイパーアームの少なくとも何れか1つの規格サイズと当接する第２の下部当接部と、を有することを特徴とする。
【０００８】
更に、前記複数適合手段は、前記第２の下部当接部が、前記第１の下部当接部よりも、上方で且つ、前記湾曲当接部に近接する位置に形成されることを特徴とする。
【０００９】
更に、前記複数適合手段は、前記支持部材の湾曲当接部が、前記第１の規格サイズのワイパーアームのＵ字形状部の湾曲位置の内面と当接し、前記第２の規格サイズのワイパーアームと前記第３の規格サイズのワイパーアームの少なくとも何れか1つの規格サイズのＵ字形状部の湾曲位置の内面と当接しないように形成された上側湾曲当接部と、前記第１の規格サイズのワイパーアームの湾曲位置の内面と当接せず、前記第２の規格サイズのワイパーアームと前記第３の規格サイズのワイパーアームの少なくとも何れか1つの規格サイズのＵ字形状部の湾曲位置の内面と当接するように形成された下側湾曲当接部と、を有することを特徴とする。
【００１０】
更に、前記第１の規格サイズのワイパーアームのＵ字形状部の湾曲位置の内面が、前記支持部材の上側湾曲当接部と当接し、前記第２の規格サイズのワイパーアームおよび前記第３の規格サイズのワイパーアームのＵ字形状部の湾曲位置の内面が、前記支持部材の下側湾曲当接部と当接するように構成されることによって、前記支持部材に、前記第１の規格サイズのワイパーアームと、前記第２の規格サイズのワイパーアームと、前記第３の規格サイズのワイパーアームの、何れの規格サイズのワイパーアームを装着した場合においても、前記ワイパーアームのＵ字形状部の外面湾曲部の位置が、前記蓋部材を閉じた際の、前記蓋部材の当接部との当接状態を維持可能で且つ、前記蓋部材の弾性変形となるように構成されることを特徴とする。
【考案の効果】
【００１１】
本考案のワイパーブレードのワイパーアーム結合機構は、前記ワイパーアームのＵ字形部分の内面との当接部を有する支持部材が複数適合手段によって、前記支持部材を交換することなく、複数種類のワイパーアームに適合させることができるため、装着作業性が向上すると共に、装着作業ミスによるワイパーブレードの脱落や動作不良を防止することができ、更に、支持部材が1種類で良いため、汎用性が高く、部品コストを削減すると同時に不使用部品を紛失するリスクを回避することができる。
【図面の簡単な説明】
【００１２】
【図１】本考案の実施例に係る構成概要を示す参考断面図。
【図２】本考案で装着可能な第１の規格サイズのワイパーアームの説明図。
【図３】本考案で装着可能な第２の規格サイズのワイパーアームの説明図。
【図４】本考案で装着可能な第３の規格サイズのワイパーアームの説明図。
【図５】本考案の実施例に係る第１の規格サイズのワイパーアームの装着工程を示す要部断面図。
【図６】図５の装着工程の次段階を示す要部断面図。
【図７】図６の装着工程の次段階（装着状態）を示す要部断面図。
【図８】図７の要部拡大図。
【図９】本考案の実施例に係る第３の規格サイズのワイパーアームの装着工程を示す要部断面図。
【図１０】図９の装着工程の次段階を示す要部断面図。
【図１１】図１０の装着工程の次段階（装着状態）を示す要部断面図。
【図１２】図１１の要部拡大図。
【図１３】本考案の実施例に係る第２の規格サイズのワイパーアームの装着状態を示す要部断面図。
【図１４】図１３の要部拡大図。
【図１５】従来技術を示す参考断面図。
【図１６】従来技術において第１の規格サイズ（９×４）のワイパーアームの装着状態を示す参考断面図。
【図１７】従来技術において第１の規格サイズ（９×４）用の支持部材と、第３の規格サイズ（９×３）のワイパーアームを重ねて作図した状態を示す参考図。
【図１８】従来技術において第３の規格サイズ（９×３）のワイパーアームの装着状態を示す参考断面図。
【図１９】従来技術において第３の規格サイズ（９×４）用の支持部材と、第１の規格サイズ（９×３）のワイパーアームを重ねて作図した状態を示す参考図。
【考案を実施するための形態】
【００１３】
本考案のワイパーブレードの結合機構の実施の形態は、図１〜図１４に示すように、先端がＵ字形状に湾曲して形成されたワイパーアーム１との結合機構を有するワイパーブレード２において、長手方向略中央部に、第１の軸支部を形成する第１のピン３と、第２の軸支部を形成する第２のピン４が配置されるワイパーブレード本体５と、前記第１のピン３によって、ワイパーブレード本体５に対して回動可能に支持される支持部材６と、前記第２のピン４によって、ワイパーブレード本体５に対して回動可能に支持される蓋部材７と、を有し、前記支持部材６は、前記ワイパーアーム１のＵ字形部分１１の内面との当接部を有し、前記蓋部材７は、前記支持部材６によって支持されたワイパーアーム１のＵ字形状部分１１の外面湾曲部１２との当接部７１を含み弾性変形可能な樹脂バネ部分を有することによって前記支持部材６に対するワイパーアーム１の離脱を防止するように構成される。
【００１４】
前記支持部材６の当接部は、少なくともワイパーアーム１のＵ字形状部１１よりも上部位置の平面部の内面と当接する上部当接部６１と、ワイパーアーム１のＵ字形状部１１の湾曲位置の内面と当接する湾曲当接部６２と、ワイパーアーム１のＵ字形状部１１よりも下部位置の平面部の内面と当接する前記下部当接部６３と、を有する。
【００１５】
前記支持部材６は、複数の規格サイズのワイパーアーム１に適合する複数適合手段を有し、本考案のワイパーブレード２のワイパーアーム結合機構に適合するワイパーアーム１の第１の規格サイズは図２に示す様に、９×４（Ｕ字形状部の幅９ｍｍ、上下方向の内寸法１０．７ｍｍ、肉厚４ｍｍ）のワイパーアーム１ａからなり、第２の規格サイズは図３に示す様に、９×３．５（Ｕ字形状部の幅９ｍｍ、上下方向の内寸法６．７ｍｍ、肉厚３．５ｍｍ）のワイパーアーム１ｂからなり、第３の規格サイズは図４に示す様に、９×３（Ｕ字形状部の幅９ｍｍ、上下方向の内寸法６．７ｍｍ、肉厚３ｍｍ）のワイパーアーム１ｃからなる。
【００１６】
前記複数適合手段は、前記支持部材６の下部当接部６３が、第１の規格サイズのワイパーアーム１ａと当接する第１の下部当接部６３ａと、前記第２の規格サイズのワイパーアーム１ｂと前記第３の規格サイズのワイパーアーム１ｃの少なくとも何れか1つの規格サイズと当接する第２の下部当接部６３ｂと、を有し、前記第２の下部当接部６３ｂ、前記第１の下部当接部６３ａよりも、上方で且つ、前記湾曲当接部６２に近接する位置に形成される。
【００１７】
更に、前記複数適合手段は、前記支持部材６の湾曲当接部６２が、前記第１の規格サイズのワイパーアーム１ａのＵ字形状部１１ａの湾曲位置の内面と当接し、前記第２の規格サイズ１ｂのワイパーアームのＵ字形状部１１ｂの湾曲位置の内面および前記第３の規格サイズのワイパーアーム１ｃのＵ字形状部１１ｃの湾曲位置の内面と当接しないように形成された上側湾曲当接部６２ａと、前記第１の規格サイズのワイパーアーム１ａのＵ字形状部１１ａの湾曲位置の内面と当接せず、前記第２の規格サイズのワイパーアーム１ｂのＵ字形状部１１ｂの湾曲位置の内面および前記第３の規格サイズのワイパーアーム１ｃのＵ字形状部１１ｃの湾曲位置の内面と当接するように形成された下側湾曲当接部６２ｂと、を有する。尚、前記上側湾曲当接部６２ａと下側湾曲当接部６２ｂの形状は、必ずしも円弧状に湾曲して形成されている必要は無く、リブや突起の先端によって、ワイパーアーム１のＵ字形状部１１の湾曲位置の内面と当接するように形成しても良い。
【００１８】
更に、前記支持部材６に、前記第１の規格サイズのワイパーアーム１ａと、前記第２の規格サイズのワイパーアーム１ｂと、前記第３の規格サイズのワイパーアーム１ｃの、何れの規格サイズのワイパーアームを装着した場合においても、前記ワイパーアームのＵ字形状部の外面湾曲部の位置が、前記蓋部材７を閉じた際の、前記蓋部材７の当接部７１との当接状態を維持可能で且つ、前記蓋部材７の当接部７１を含む位置の弾性変形が可能な範囲内の位置となるように構成される。
【産業上の利用可能性】
【００１９】
本考案のワイパーブレードのワイパーアーム結合機構は、複数種類のワイパーアームに適合可能なワイパーブレードとして、産業上有効に利用することができる。
【符号の説明】
【００２０】
１、１ａ、１ｂ、１ｃ：ワイパーアーム、２：ワイパーブレード、３：第１のピン、４：第２のピン、５：ワイパーブレード本体、６：支持部材、７：蓋部材、１１、１１ａ、１１ｂ、１１ｃ：Ｕ字形状部、１２：外面湾曲部、６１：上部当接部、６２：湾曲当接部、６２ａ：上側湾曲当接部、６２ｂ：下側湾曲当接部、６３：下部当接部、６３ａ：第１の下部当接部、６３ｂ：第２の下部当接部、７１：当接部、１０１：ワイパーブレード、１０２：第１のピン、１０３：支持部材、１０４：第２のピン、１０５：抑留表面、１０６：抑留部材
【図１】
0003214731.tif 000003
【図２】
0003214731.tif 000004
【図３】
0003214731.tif 000005
【図４】
0003214731.tif 000006
【図５】
0003214731.tif 000007
【図６】
0003214731.tif 000008
【図７】
0003214731.tif 000009
【図８】
0003214731.tif 000010
【図９】
0003214731.tif 000011
【図１０】
0003214731.tif 000012
【図１１】
0003214731.tif 000013
【図１２】
0003214731.tif 000014
【図１３】
0003214731.tif 000015
【図１４】
0003214731.tif 000016
【図１５】
0003214731.tif 000017
【図１６】
0003214731.tif 000018
【図１７】
0003214731.tif 000019
【図１８】
0003214731.tif 000020
【図１９】
0003214731.tif 000021